(57)【特許請求の範囲】
【請求項１】
渦巻状のケーシング内に羽根車を配置した構成の遠心送風機において、
前記ケーシングの渦巻全体を該ケーシングの吐出し口の中心線に対して前記羽根車の回転方向に所定角度回転させ、前記ケーシングの吐出し口の中心を吸込み口の中心に近づけた構成とすることを特徴とする遠心送風機。
【請求項２】
請求項１に記載の遠心送風機において、
前記渦巻を羽根車の回転方向に回転させる角度は５°〜３５°の範囲であることを特徴とする遠心送風機。
【発明の詳細な説明】
【０００１】
【発明の属する技術分野】
本発明は、空調設備や換気設備に使用する渦巻状のケーシングを具備する遠心送風機に関するものである。
【０００２】
【従来の技術】
図４は従来のこの種の遠心送風機の基本構成例を示す図である。図において、遠心送風機Ｂはケーシング１０を具備し、該ケーシング１０の渦巻室に羽根車１１が配置された構成である。このような構成の遠心送風機Ｂにおいて、ケーシング１０の吐出し口１０ａの中心線１２と該吐出し口１０ａでのケーシング１０の渦巻の中心線１３は平行になっている。
【０００３】
【発明が解決しようとする課題】
上記従来の遠心送風機では、ケーシング１０の直後に曲がりダクトを接続した場合、図５に示すように曲がりダクト１４の曲がり方向が羽根車の回転方向１５と同じ方向であれば問題はないが、図６のように曲がりダクト１４の曲がり方向が羽根車の回転方向１５と反対方向であった場合、圧力損失が大きくなり所定の風量を得ることができないという問題があった。
【０００４】
送風機の直後でダクトを曲げることは本来避けることが望ましいが、配管のレイアウトやダクトの配管スペース等の問題から、ダクトを送風機直後で曲げざるを得ない場合が生ずる。
【０００５】
これに対処するため、遠心送風機の場合は羽根車とケーシングををそれぞれ右回り用と左回り用の２種類用意している。吐出し方向１６を標準的に図７の（ａ）乃至（ｆ）に示すように、６種類用意しておきダクトの曲げの方向により使い分け、大きな圧力損失が生じることを防止する方法が採用されている。また、ダクトの配置によって、図７に示す以外の吐出し方向も必要となるので、吐出し方向として多くの種類となってしまう。図７において、Ｂは遠心送風機、１７は該遠心送風機Ｂを駆動するモータ、１８は基台である。
【０００６】
このため、遠心送風機Ｂの羽根車とケーシングを同じ大きさで同じ性能の送風機について、２種類ずつ用意しておかなければならないし、遠心送風機Ｂの完成品として最小でも６種類を用意しなければならないので、生産や在庫の点から問題があった。また、据付け現場において、ダクトレイアウト変更など吐出し方向を変更する場合など、ケーシングと羽根車を交換しなければ吐出し方向を変更できない場合も生ずるが、この場合多種類の在庫品から適切なものを選択しなければならないという煩雑さもあった。
【０００７】
本発明は上述の点に鑑みてなされたもので、羽根車とケーシングは１方向回転用のみを用意し、吐出し方向を少ない種類にできる構成の遠心送風機を提供することを目的とする。
【０００８】
【課題を解決するための手段】
上記課題を解決するため請求項１に記載の発明は、渦巻状のケーシング内に羽根車を配置した構成の遠心送風機において、ケーシングの渦巻全体を、該ケーシングの吐出し口の中心線に対して羽根車の回転方向に所定角度回転させ、ケーシングの吐出し口の中心を吸込み口の中心に近づけた構成とすることを特徴とする。
【０００９】
また、請求項２に記載の発明は、請求項１に記載の遠心送風機において、渦巻を羽根車の回転方向に回転させる角度は５°〜３５°の範囲であることを特徴とする。
【００１０】
【発明の実施の形態】
以下、本発明の実施の形態例を図面に基づいて説明する。図１は本発明に係る遠心送風機の基本構成を示す図である。図１において、１はケーシングであり、２はケーシング１の吐出し口１ａの中心線、３はケーシング１の渦巻の中心線、４は羽根車である。本遠心送風機Ａは、図示するように、ケーシング１の渦巻全体を吐出し口１ａの中心線２に対して所定の角度θだけ羽根車４の回転方向に回転させて構成している。
【００１１】
ここで角度θはθ＝１５°〜３５°の範囲とする。従来の遠心送風機では図４に示すように、吐出し口１０ａの中心線１２と渦巻の中心線１３は平行であったのに対して、本発明では渦巻の中心線３がケーシング１の吐出し口１ａの中心線２に羽根車４の回転方向に角度θ回転するようにケーシング１を構成している。その結果、従来構成の遠心送風機に比べてケーシング１の吐出し口１ａの中心が吸込み口の中心に近づくことになる。図２は図１に示す本発明に係る遠心送風機Ａと図４に示す従来の遠心送風機Ｂを比較するために重ねて表示した比較図である。
【００１２】
従来構成の遠心送風機は、ケーシング１０の吐出し口１０ａにおいて、風速は外周側が速くなる。従って、吐出し口直後にダクトに曲がりがある場合、この曲がりが羽根車１１の回転方向と同じ方向である場合は空気はこの曲がりに沿って流れるので大きな圧力損失は発生しないが、この曲がりの方向が羽根車の回転方向と反対の場合は、流れの速い部分の空気が影響して大きな損失を生じてしまう。また、一般的に配管や送風機の配置から考えると、送風機の吐出し口直後でダクトを曲げることはよくあるケースであり、このことは避けることができない。
【００１３】
本発明の遠心送風機は、上記のように、ケーシング１の渦巻の中心線３が吐出し口１ａの中心線２に羽根車４の回転方向に角度θだけ回転した構成であるので、ケーシング１の吐出し口１ａの中心が吸込み口の中心に近づくことになる。これにより、ケーシング１の吐出し口における風速の速い部分が吐出し口の中央部付近に近づくことになり、遠心送風機のケーシング１の吐出し口１ａの直後のダクトを羽根車４の回転方向と同じ方向に曲げても、反対方向に曲げても、さらには曲げずに真っ直にしても圧力損失としては大きな差が生じることがない。従って、通常の曲がりダクトの圧力損失を見込んでおけば良いことになる。
【００１４】
図８は従来の遠心送風機Ｂのケーシング吐出し口に真っ直な測定ダクト１０１を接続した場合と、羽根車の回転方向と反対方向に曲げたダクト１０２を接続しその下流に真っ直な測定ダクト１０１を接続した場合の性能（静圧−風量）試験を行なった結果例を示す図であり、また、図９は本発明の遠心送風機Ａのケーシング吐出し口に真っ直な測定ダクト１０１を接続した場合と、羽根車の回転方向と反対方向に曲げたダクト１０２を接続しその下流に真っ直な測定ダクト１０１を接続した場合と、羽根車の回転方向と同じ方向に曲げたダクト１０３を接続しその下流に真っ直な測定ダクト１０１を接続した場合の性能試験をおこなった結果例を示す図である。
【００１５】
図８に示すように、従来の遠心送風機Ｂではケーシング吐出し口に真っ直なダクトを接続した場合に比較し、羽根車の回転方向と反対方向に曲げたダクトを接続した場合はその圧力損失が大きくなる。これに対して本発明に係る遠心送風機では、図９に示すように、真っ直なダクトを接続した場合も、羽根車の回転方向と同じ方向或いは反対方向に曲げたダクトを接続した場合も圧力損失に大きな差異がない。
【００１６】
このため従来は遠心送風機Ｂではケーシング１０の吐出し口１０ａの直後のダクトの曲げ方向に応じて羽根車１１の回転方向を選定することが一般的であった。しかしながら、送風機の羽根車１１の回転方向が２種類になるので、同一の大きさで同一の性能の遠心送風機であっても羽根車１１やケーシング１０、その他の部品を右回り用と左回り用の２種類必要となるため、上記のように生産や在庫の種類が増えるという問題がある。
【００１７】
これ対して、本発明に係る遠心送風機Ａでは同じ大きさで同一の性能の送風機であれば、羽根車４、ケーシング１やその他の部品を右回り用か左回り用の１種類にすることができ、生産や在庫数の種類を減らすことができる。また、遠心送風機の完成品としては、図３に示すように４種類に減らすことができ、図７に示す従来例のように６種類とすることはない。従って、在庫スペースの問題を緩和することができる。なお、図３において、５は遠心送風機Ａを駆動するモータ、６は基台である。
【００１８】
また、本発明に係る遠心送風機Ａは、据付現場でファンやダクトの配置を変更し、送風機の吐出し方向を変更する場合でも羽根車４、ケーシング１及びその他の部品が１種類なので部品を交換することがなく、吐出し方向を変更することが可能となったので、送風機の搬入口が塞がれた後でも吐出し方向を変更できるし、従来に比べて低コストで変更が可能となった。
【００１９】
【発明の効果】
以上説明したように本発明によれば、下記のような優れた効果が期待できる。
ケーシングの吐出し口の中心線に対して、ケーシングの渦巻全体を羽根車の回転方向に所定角度回転させ、ケーシングの吐出し口の中心を吸込み口の中心に近づけたので、送風機の吐出し口の直後で羽根車の回転方向、同方向に曲げる場合とまっすぐダクトを使用する場合で圧力損失に大きな差がなくなり、従来のように右回り用、左回り用の２種類の羽根車とケーシングを用意する必要がなくなり、１種類にでき、生産や在庫の種類を減らすことができる。
【００２０】
また、これにより送風機の完成品としても従来の６種類を４種類に減らすことができるので、在庫の種類を減らすと共に、選定の間違いを減らすことができ、更に据付現場での吐出し方向の変更も従来例に比べて簡単にできる。
【図面の簡単な説明】
【図１】本発明の遠心送風機の基本構成例を示す図である。
【図２】本発明の遠心送風機と従来の遠心送風機を重ねて表示した例を示す図である。
【図３】本発明の遠心送風機の完成品の種類を示す図である。
【図４】従来の遠心送風機の基本構成例を示す図である。
【図５】従来の遠心送風機の羽根車の回転方向と同じ方向の曲がりダクトを接続した構成を示す図である。
【図６】従来の遠心送風機の羽根車の回転方向と反対方向の曲がりダクトを接続した構成を示す図である。
【図７】従来の遠心送風機の完成品の種類を示す図である。
【図８】従来の遠心送風機の性能試験の結果例を示す図である。
【図９】本発明の遠心送風機の性能試験の結果例を示す図である。
【符号の説明】
１            ケーシング
２            吐出し口１ａの中心線
３            渦巻の中心線
４            羽根車
【図１】
0003795222.tif 000002
【図２】
0003795222.tif 000003
【図３】
0003795222.tif 000004
【図４】
0003795222.tif 000005
【図５】
0003795222.tif 000006
【図６】
0003795222.tif 000007
【図７】
0003795222.tif 000008
【図８】
0003795222.tif 000009
【図９】
0003795222.tif 000010